(57)【要約】【課題】閃光発光手段の小型化を図り、その閃光発光手段の配置等に関する設計の自由度を高めることができる遊技機を提供する。【解決手段】閃光発光装置１００は、閃光を発光することにより遊技の演出を行うものであり、遊技盤上に設けられる。直流電源生成部８０は、交流電源電圧から直流電源電圧を生成するものであり、閃光発光装置１００とは別個に設けられる。直流電源生成部８０で生成された直流電源電圧は、電源中継基板９０を介して、主制御基板５０、サブ制御基板６０、閃光発光装置１００に供給される。このように閃光発光装置１００の内部に直流電源生成部を設ける必要がないので、閃光発光装置１００の小型化を図ることができる。かかる小型の閃光発光装置１００を用いることにより、当該閃光発光装置１００の配置等に関する設計の自由度を高めることができる。【選択図】        図２
2004181039.tif 000002
【特許請求の範囲】
【請求項１】
遊技盤上に配置された、コンデンサを充電した後に前記コンデンサに蓄積された電荷を放電管を介して放電させることにより前記放電管から閃光を発光する閃光発光手段と、
前記閃光発光手段とは別個に設けられた、交流電源電圧から直流電源電圧を生成する直流電源生成手段と、
を具備し、前記閃光発光手段には前記直流電源生成手段で生成された直流電源電圧が供給されることを特徴とする遊技機。
【発明の詳細な説明】
【０００１】
【発明の属する技術分野】
本発明は、パチンコ機等の遊技機に関し、特に、遊技機の電源供給構成に関するものである。
【０００２】
【従来の技術】
通常、パチンコ機等の遊技機では、遊技盤上に特別図柄表示部が配設されている。その特別図柄表示部は三つの表示エリアを有しており、各表示エリアにおいて、数字やキャラクタによる図柄で構成される識別情報（特別図柄）を個別に変動表示することができる。この特別図柄表示部の制御は遊技機の制御基板により行われる。
【０００３】
一般に、遊技機用の電源としては、２４Ｖの交流電源が用いられる。従来、制御基板や特別図柄表示部への電源供給に関する技術としては、例えば、２４Ｖの交流電源電圧を制御基板や特別図柄表示部に供給し、制御基板及び特別図柄表示部のそれぞれにおいて、その交流電源電圧から直流電源電圧を生成するという技術が知られている（例えば、特許文献１参照。）。
【０００４】
また、近年、遊技盤上ではないが、遊技機における前面枠の裏面側にフラッシュ照明具（閃光発光手段）を設け、電飾効果を高めるという技術が提案されている（例えば、特許文献２参照。）。一般に、かかる閃光発光手段に対する電源としては、直流電源が用いられる。このため、閃光発光手段への電源供給に上記の技術を適用すると、閃光発光手段内に、交流電源電圧から直流電源電圧を生成する直流電源電圧を生成する直流電源生成部を搭載する必要がある。
【０００５】
【特許文献１】
特開平７−２３１９７２号公報
【特許文献２】
特開２００１−２１８８９５号公報
【０００６】
【発明が解決しようとする課題】
しかしながら、閃光発光手段を有する遊技機において、閃光発光手段内に直流電源生成部を設けると、閃光発光手段のサイズが大きくなってしまう。したがって、かかる大きな閃光発光手段を用いると、その設置場所や個数に制限が生じ、所望の電飾効果が得られないことがある。このため、閃光発光手段の配置等に関する設計の自由度を高めることができる技術の実現が望まれている。
【０００７】
本発明は上記事情に基づいてなされたものであり、閃光発光手段の小型化を図り、その閃光発光手段の配置等に関する設計の自由度を高めることができる遊技機を提供することを目的とするものである。
【０００８】
【課題を解決するための手段】
上記の目的を達成するための本発明に係る遊技機は、遊技盤上に配置された、コンデンサを充電した後に前記コンデンサに蓄積された電荷を放電管を介して放電させることにより前記放電管から閃光を発光する閃光発光手段と、前記閃光発光手段とは別個に設けられた、交流電源電圧から直流電源電圧を生成する直流電源生成手段と、を具備し、前記閃光発光手段には前記直流電源生成手段で生成された直流電源電圧が供給されることを特徴とするものである。
【０００９】
【発明の実施の形態】
以下に本発明の一実施形態について図面を参照して説明する。図１は本発明の一実施形態である遊技機の遊技盤の概略正面図、図２はその遊技機の概略機能ブロック図である。ここでは、本発明の遊技機をパチンコ機に適用した場合について説明する。
【００１０】
本実施形態の遊技機は、図１及び図２に示すように、遊技盤１０と、複数の電飾表示部２０と、スピーカ３０と、主制御基板５０と、サブ制御基板６０と、直流電源生成部（直流電源生成手段）８０と、電源中継基板９０と、閃光発光装置（閃光発光手段）１００とを備える。ここで、図２では、電飾表示部２０を一つだけ示している。
【００１１】
遊技盤１０には、特別図柄表示部１１と、特別図柄始動口１２と、特別図柄始動スイッチ１３と、特別電動役物１４と、特別電動役物用ソレノイド１５と、アウト口１６とが設けられている。
【００１２】
遊技盤１０の中央部のやや上側には、特別図柄表示部１１が配設されている。この特別図柄表示部１１としては、例えば液晶ディスプレイが用いられる。特別図柄表示部１１は、三つ（左、中、右）の表示エリアを有しており、各表示エリアにおいて、数字やキャラクタによる図柄で構成される識別情報を個別に変動表示することができる。この特別図柄表示部１１の制御は主制御基板５０からのコマンドに基づきサブ制御基板６０により行われる。各表示エリアに表示される識別情報を通常、特別図柄と呼んでいる。特別図柄を変動表示した後、その変動表示が停止したときに、三つの表示エリアに表示される図柄の組み合わせが特定の態様になることにより、遊技者に大当りであることが報知される。そして、遊技機は大当り遊技状態に移行する。大当りの遊技状態では、特別電動役物１４が開閉し（大当り処理）、多数の遊技球が入賞するチャンスが得られる。また、特別図柄表示部１１には、サブ制御基板６０から所定の直流電源電圧が供給される。
【００１３】
特別図柄表示部１１の下方には、特別図柄始動口１２、特別電動役物１４及びアウト口１６が配設されている。
【００１４】
特別図柄始動口１２は、特別図柄表示部１１のすぐ下側に位置している。特別図柄始動口１２の内部には特別図柄始動スイッチ１３が設けられている。この特別図柄始動スイッチ１３は、遊技球が特定のエリアを通過したこと、すなわち、この場合は特別図柄始動口１２に入ったことを検出するものである。特別図柄始動スイッチ１３からの検出信号は主制御基板５０に送られる。そして、主制御基板５０がサブ制御基板６０にコマンドを送ると、サブ制御基板６０は特別図柄表示部１１における特別図柄の変動を開始する。また、特別図柄始動口１２は入賞口の一つであり、この特別図柄始動口１２に遊技球が入ると、所定数の遊技球が払い出される。
【００１５】
特別電動役物１４は、大当りが発生したときに、所定のパターンで開閉する大入賞口である。具体的には、特別電動役物１４は、開放した後、所定数の遊技球が入賞するか、所定時間経過するかのいずれかの条件を満たすと、一旦開放動作を終了する。そして、当該入賞した遊技球が特別電動役物１４内の特定の領域を通過していたとき等の条件を満たすと、特別電動役物１４は再び開閉する。かかる開閉動作は所定回数だけ行われる。この特別電動役物１４の開閉は、主制御基板５０からの信号に基づいて特別電動役物用ソレノイド１５によって行われる。
【００１６】
遊技盤１０の最下部にはアウト口１６が設けられており、入賞しなかった遊技球はアウト口１６を介して回収される。
【００１７】
電飾表示部２０は、遊技盤１０の周辺部に設けられている。この電飾表示部２０は、多数の発光ダイオードや白熱灯等からなり、主に遊技の演出を行う。主制御基板５０が遊技の進行状況に応じてサブ制御基板６０にコマンドを送ると、サブ制御基板６０は電飾表示部２０を制御する。また、電飾表示部２０には、サブ制御基板６０から所定の直流電源電圧が供給される。
【００１８】
また、スピーカ３０は、音により遊技の演出を行うものである。主制御基板５０が遊技の進行状況に応じてサブ制御基板６０にコマンドを送ると、サブ制御基板６０はスピーカ３０を制御する。
【００１９】
閃光発光装置１００は、閃光を発光することにより遊技の演出を行うものであり、遊技盤１０上に設けられている。かかる閃光発光装置１００では、コンデンサを充電した後、コンデンサに蓄積された電荷を放電管を介して放電することにより、閃光が発せられる。主制御基板５０が遊技状態に応じてサブ制御基板６０にコマンドを送ると、サブ制御基板６０は閃光発光装置１００を制御する。例えば、大当り遊技状態等、遊技者に有利な遊技状態の間に閃光を発光し、遊技者に有利な遊技状態以外の通常の遊技状態の間には閃光を発しないように、閃光発光装置１００が制御される。
【００２０】
この閃光発光装置１００について詳しく説明する。図３は閃光発光装置１００の概略回路図である。閃光発光装置１００は、図３に示すように、四つの外部端子、すなわち、電源端子１０１、接地端子１０２、充電制御端子１０３、トリガ制御端子１０４を有する。電源端子１０１は、電源線を介して電源中継基板９０と接続されている。ここで、閃光発光装置１００には、電源中継基板９０から例えば１２Ｖの直流電源電圧が供給されている。接地端子１０２も、接地線を介して電源中継基板９０と接続されている。一方、充電制御端子１０３は充電制御線を介してサブ制御基板６０と接続され、トリガ制御端子１０４はトリガ制御線を介してサブ制御基板６０と接続されている。
【００２１】
閃光発光装置１００は、具体的には、図３に示すような回路構成をしている。すなわち、閃光発光装置１００は、充電制御回路１１０と、コンデンサ１２０と、トリガ制御回路１３０と、放電管としてのキセノン管１４０とを備えている。
【００２２】
充電制御回路１１０は、コンデンサ１２０の充電を制御するものであり、電源スイッチング用トランジスタ（ＰＮＰ型トランジスタ）１１１と、トランジスタ１１２と、充電トランス１１３と、充電用ダイオード１１４と、その他抵抗、コンデンサ等の回路素子とを有する。充電トランス１１３は、その一次側に二つの巻線Ｐ，Ｆを有し、その二次側に一つの巻線Ｓを有する。電源スイッチング用トランジスタ１１１のエミッタ端子は電源端子１０１と接続され、そのコレクタ端子は充電トランス１１３の一次側巻線Ｐと接続されている。そして、そのベース端子は充電制御端子１０３と接続されている。電源スイッチング用トランジスタ１１１は、電源端子１０１から供給される電圧を充電トランス１１３の一次側に印加するか否かを切り替える役割を果たす。
【００２３】
また、充電トランス１１３の二次側巻線Ｓの一端は、充電用ダイオード１１４のアノード端子と接続されている。充電用ダイオード１１４のカソード端子はコンデンサ１２０の一端と接続され、コンデンサ１２０の他端は接地端子１０２と接続されている。充電用ダイオード１１４は、充電トランス１１３の二次側巻線Ｓで交流電圧が発生したときに、その二次側巻線Ｓを流れる交流電流を直流電流に変換する役割を果たす。そして、この充電用ダイオード１１４を流れる直流電流により、コンデンサ１２０が充電される。
【００２４】
電源スイッチング用トランジスタ１１１がオンすると、トランジスタ１１２がオンし、電源中継基板９０から充電トランス１１３の一次側巻線Ｐに電流が流れる。一方、充電トランス１１３の一次側巻線Ｆには、一次側巻線Ｐとの巻線比に応じた電圧が発生する。このとき、二次側巻線Ｓには、充電用ダイオード１１４を導通させる方向とは逆方向の電圧が発生するので、充電用ダイオード１１４はオフであり、コンデンサ１２０への充電は行われない。その後、一次側巻線Ｐに流れる電流が増加していくと、トランジスタ１１２は飽和領域から外れ、急速にオフする。このトランジスタ１１２のオフ時に、一次側巻線Ｐに蓄えられたエネルギーが二次側巻線Ｓに放出される。そして、二次側巻線Ｓには、充電用ダイオード１１４を導通させる順方向の電圧が発生するので、充電用ダイオード１１４はオン状態となり、コンデンサ１２０にエネルギーが蓄えられる。かかる動作を繰り返すことにより、充電トランス１１３の一次側巻線Ｐ，Ｆは発振する。この発振の間に、コンデンサ１２０には、キセノン管１４０の発光に必要なエネルギーが徐々に蓄えられる。
【００２５】
キセノン管１４０は、コンデンサ１２０に蓄積された電荷によって発光を行うものであり、二つの電極１４１，１４２と、一つのトリガ端子１４３とを有する。キセノン管１４０の二つの電極１４１，１４２はそれぞれ、コンデンサ１２０の各端子に接続されている。
【００２６】
トリガ制御回路１３０は、キセノン管１４０の発光を制御するものであり、トランス１３１と、サイリスタ１３２と、その他抵抗、コンデンサ１３３等の回路素子とを有する。トランス１３１の二次側はキセノン管１４０のトリガ端子１４３と接続されている。サイリスタ１３２のアノード端子は、コンデンサ１３３を介してトランス１３１の一次側巻線の一端と接続され、そのカソード端子はトランス１３１の一次側巻線の他端と接続されている。また、サイリスタ１３２のゲート端子は、トリガ制御端子１０４と接続されている。サイリスタ１３２がオンすると、サイリスタ１３２、コンデンサ１３３、トランス１３１の一次側巻線で構成されるＬＣ回路に電流が流れる。そして、トランス１３１の二次側には交流電圧が発生し、キセノン管１４０のトリガ端子１４３に高電圧が印加される。これにより、キセノン管１４０の二つの電極１４１，１４２間の導通状態がオンとなり、コンデンサ１２０に蓄えられた電荷がキセノン管１４０を介して放電する。こうして、キセノン管１４０から閃光が発せられる。
【００２７】
かかるキセノン管１４０からの閃光の発光を制御するには、充電制御回路１１０とトリガ制御回路１３０とを個別に制御する必要がある。充電制御回路１１０では、電源スイッチング用トランジスタ１１１のベース端子に入力されるベース電流（充電制御信号）に基づいて電源スイッチング用トランジスタ１１１をオン・オフすることにより、コンデンサ１２０の充電を制御する。また、トリガ制御回路１３０では、サイリスタ１３２のゲート端子に入力されるゲート電流（トリガ制御信号）に基づいてサイリスタ１３２をオン・オフすることにより、キセノン管１４０の発光を制御する。すなわち、サブ制御基板６０は、充電制御信号により充電制御回路１１０を制御し、トリガ制御信号によりトリガ制御回路１３０を制御する。具体的には、サブ制御基板６０は、充電制御信号及びトリガ制御信号をそれぞれ所定のパターンで生起し、これら充電制御信号及びトリガ制御信号を閃光発光装置１００に送ることにより、閃光発光装置１００から閃光が所定の態様で発せられる。
【００２８】
主制御基板５０とサブ制御基板６０は、遊技盤１０の裏面に取り付けられている。サブ制御基板６０は、主制御基板５０と通信ケーブル線を介して接続されている。主制御基板５０及びサブ制御基板６０にはそれぞれ、ＲＯＭ、ＲＡＭ、ＣＰＵ等が組み込まれている。また、主制御基板５０及びサブ制御基板６０には、電源中継基板９０から所定の直流電源電圧が供給されている。
【００２９】
主制御基板５０は、主に遊技内容や遊技球の払出しの制御及び管理を行う。具体的には、主制御基板５０は、各入賞口に設けられたスイッチからの信号に基づいて入賞状況を認識し、その入賞状況に応じて、所定数の賞球の払出しを指示する賞球指示コマンドをサブ制御基板６０に出力したり、遊技の演出の内容を指示する演出指示コマンドをサブ制御基板６０に出力したりする。
【００３０】
また、主制御基板５０は、大当りの抽選処理や大当り処理を行う。具体的には、主制御基板５０は、特別図柄始動スイッチ１３からの信号を受けると、乱数抽選を行い、外れ、大当りのいずれであるかを決定する。主制御基板５０は、抽選結果に基づいて所定のコマンドをサブ制御基板６０に送る。ここで、かかるコマンドとしては、図柄の変動内容を示す変動パターンに関するコマンドが用いられる。そして、主制御基板５０は、抽選結果が大当りである場合、特別電動役物１４の開閉動作を制御する。
【００３１】
サブ制御基板６０は、主に遊技の演出に関わる機能を実現する。すなわち、サブ制御基板６０は、遊技の進行状況に応じて特別図柄表示部１１を制御すると共に、電飾表示部２０、スピーカ３０、閃光発光装置１００を制御する。サブ制御基板６０は、主制御基板５０からのコマンドを受けて、所定の処理を実行する。例えば、サブ制御基板６０は、主制御基板５０から変動パターンに関するコマンドを受けた場合、特別図柄表示部１１に所定のコマンドを送ると共に、電飾表示部２０及びスピーカ３０にそれぞれ電飾データ、音声データを送る。これにより、特別図柄表示部１１は当該変動パターンにしたがって図柄を変動表示する。そして、電飾表示部２０及びスピーカ３０は当該変動パターンに応じた遊技の演出を行う。
【００３２】
また、サブ制御基板６０は、主制御基板５０から変動パターンに関するコマンドを受けた場合であって当該コマンドに大当りを示す停止図柄を表示する旨の情報が含まれている場合、大当り遊技状態に移行した後、当該大当り遊技状態の間に閃光発光装置１００による閃光の発光動作を制御する。これにより、閃光発光装置１００から閃光が発せられ、インパクトのある演出を行うことができる。
【００３３】
一般に、遊技機用の電源としては２４Ｖの交流電源が用いられる。直流電源生成部８０には、その交流電源からの交流電源電圧が入力する。この直流電源生成部８０は、その入力した交流電源電圧から直流電源電圧を生成するものである。直流電源生成部８０は、閃光発光装置１００とは別個に設けられる。特に、本実施形態では、直流電源生成部８０を、遊技機のすべての構成要素と別個に設けている。直流電源生成部８０は、それら各構成要素の電源を統括する役割を果たす。すなわち、直流電源生成部８０では、各構成要素が必要とする直流電源電圧が一括して生成される。そして、その生成された各直流電源電圧は、遊技機の各構成要素に供給される。また、電源中継基板９０は、直流電源生成部８０で生成された直流電源電圧を受け、各構成要素に振り分けて供給するためのものである。
【００３４】
具体的に、本実施形態の遊技機における電源供給構成は、図２に示すようになっている。直流電源生成部８０は、２４Ｖの交流電源電圧から、２４Ｖの直流電源電圧、５Ｖの直流電源電圧及び１２Ｖの直流電源電圧を生成する。直流電源生成部８０で生成された直流電源電圧は、電源中継基板９０を介して、主制御基板５０、サブ制御基板６０、閃光発光装置１００に供給される。ここで、主制御基板５０及びサブ制御基板６０には、直流電源生成部８０で生成された２４Ｖ、５Ｖ、１２Ｖの各直流電源電圧が供給される。閃光発光装置１００には、直流電源生成部８０で生成された１２Ｖの直流電源電圧が供給される。また、電飾表示部２０と特別図柄表示部１１には、サブ制御基板６０から直流電源電圧が供給される。すなわち、電飾表示部２０には、直流電源生成部８０で生成された２４Ｖ、１２Ｖの各直流電源電圧が電源中継基板９０及びサブ制御基板６０を介して供給され、特別図柄表示部１１には、直流電源生成部８０で生成された５Ｖ、１２Ｖの各直流電源電圧が電源中継基板９０及びサブ制御基板６０を介して供給される。
【００３５】
本実施形態の遊技機では、交流電源電圧から直流電源電圧を生成する直流電源生成部を、閃光発光装置と別個に設け、閃光発光装置には直流電源生成部で生成された直流電源電圧を供給する。このため、閃光発光装置の内部に、直流電源生成部を設ける必要がないので、閃光発光装置の小型化を図ることができる。かかる小型の閃光発光装置を用いることにより、当該閃光発光装置の配置等に関する設計の自由度を高めることができる。例えば、閃光発光装置を、遊技機の前面枠の裏面側ではなく、遊技盤上に配置することができる。特に、特別図柄表示部の近傍であって遊技盤の略中央に配置することも可能である。また、複数の閃光発光装置を遊技盤上に配置することができる。このように閃光発光装置を遊技盤上に配置し、遊技状態に応じて閃光を発することにより、遊技中にインパクトのある演出を行うことができると共に、遊技の演出効果を高めることができる。したがって、遊技機において、直流電源生成部を閃光発光装置と別個に設け、閃光発光装置に直流電源生成部で生成された直流電源電圧を供給するという構成は、閃光発光装置に対する電源供給構成として最も好適なものである。
【００３６】
尚、本発明は上記の実施形態に限定されるものではなく、その要旨の範囲内において種々の変形が可能である。
【００３７】
例えば、上記の実施形態では、直流電源生成部を、遊技機のすべての構成要素と別個に設けた場合について説明したが、本発明では、直流電源生成部を少なくとも閃光発光装置と別個に設けていれば、閃光発光装置の小型化を図り、その配置等に関する設計の自由度を高めるという本発明の効果を奏することができる。したがって、例えば、直流電源生成部を主制御基板に組み込むようにしてもよい。図４に直流電源生成部を主制御基板に組み込んだ場合における遊技機の概略機能ブロック図を示す。
【００３８】
図４の例では、主制御基板５０に組み込まれた直流電源生成部８０は、２４Ｖの交流電源電圧から、２４Ｖの直流電源電圧、５Ｖの直流電源電圧及び１２Ｖの直流電源電圧を生成する。直流電源生成部８０で生成された直流電源電圧は、サブ制御基板６０、閃光発光装置１００に供給される。ここで、サブ制御基板６０には、直流電源生成部８０で生成された２４Ｖ、５Ｖ、１２Ｖの各直流電源電圧が供給される。閃光発光装置１００には、直流電源生成部８０で生成された１２Ｖの直流電源電圧が供給される。当然のことであるが、直流電源生成部８０で生成された直流電源電圧は、主制御基板５０でも用いられる。また、電飾表示部２０と特別図柄表示部１１には、サブ制御基板６０から直流電源電圧が供給される。すなわち、電飾表示部２０には、直流電源生成部８０で生成された２４Ｖ、１２Ｖの各直流電源電圧がサブ制御基板６０を介して供給され、特別図柄表示部１１には、直流電源生成部８０で生成された５Ｖ、１２Ｖの各直流電源電圧がサブ制御基板６０を介して供給される。
【００３９】
また、上記の実施形態では、本発明の遊技機をパチンコ機に適用した場合について説明したが、例えば回動式遊技機に適用することもできる。
【００４０】
【発明の効果】
以上説明したように本発明に係る遊技機によれば、交流電源電圧から直流電源電圧を生成する直流電源生成手段を、閃光発光手段と別個に設け、閃光発光手段には直流電源生成手段で生成された直流電源電圧を供給することにより、閃光発光手段の内部に直流電源生成手段を設ける必要がないので、閃光発光手段の小型化を図ることできる。したがって、小型の閃光発光手段を用いることにより、当該閃光発光手段の配置等に関する設計の自由度を高めることができる。
【図面の簡単な説明】
【図１】本発明の一実施形態である遊技機の遊技盤の概略正面図である。
【図２】その遊技機の概略機能ブロック図である。
【図３】その遊技機における閃光発光装置の概略回路図である。
【図４】直流電源生成部を主制御基板に組み込んだ場合における遊技機の概略機能ブロック図である。
【符号の説明】
１０    遊技盤
１１    特別図柄表示部
１２    特別図柄始動口
１３    特別図柄始動スイッチ
１４    特別電動役物
１５    特別電動役物用ソレノイド
１６    アウト口
２０    電飾表示部
３０    スピーカ
５０    主制御基板
６０    サブ制御基板
８０    直流電源生成部
９０    電源中継基板
１００    閃光発光装置
１０１    電源端子
１０２    接地端子
１０３    充電制御端子
１０４    トリガ制御端子
１１０    充電制御回路
１１１    電源スイッチング用トランジスタ
１１２    トランジスタ
１１３    充電トランス
１１４    充電用ダイオード
１２０    コンデンサ
１３０    トリガ制御回路
１３１    トランス
１３２    サイリスタ
１３３    コンデンサ
１４０    キセノン管
１４１，１４２    電極
１４３    トリガ端子
【図１】
2004181039.tif 000003
【図２】
2004181039.tif 000004
【図３】
2004181039.tif 000005
【図４】
2004181039.tif 000006